(57)【要約】　　　（修正有）【課題】使用前は液体と薬剤が完全に分離されて薬剤の品質が良好に維持され、かつ使用に際しては極めて簡単な操作で薬剤を液体に混合又は溶解することができ、点滴用輸液を迅速に調製することができる輸液容器を提供する。【解決手段】輸液容器の液体収容器は、液体収容器本体と、液体収容器本体の口部６を閉鎖する第１の栓体と、液体収容器本体５と第１の栓体とを一体的に接続する脆弱部８を有する。薬剤収容器は、第１の栓体を囲うように液体収容器本体５に固定された筒体１５，１６，１８と、筒体に形成された開口部７４を覆う第２の栓体１７を有する。そして、筒体は、液体収容器の脆弱部にせん断力を与える手段と、液体収容器の脆弱部に引張力を与える手段を有する。【選択図】図３
2004041378.tif 000002
【特許請求の範囲】
【請求項１】
液体を収容した液体収容器と薬剤を収容した薬剤収容器とを備え、これら液体収容器と薬剤収容器とを使用時に流体的に連通させて液体に薬剤を溶解又は混合させる輸液容器であって、
前記液体収容器は、
液体を収容する液体収容器本体と、
前記液体収容器本体の口部を閉鎖する第１の栓体と、
前記液体収容器本体と第１の栓体とを一体的に接続する脆弱部とを備え、
前記薬剤収容器は、
前記第１の栓体を囲うように前記液体収容器本体の口部に固定された第１の筒体と、
前記第１の筒体に該第１の筒体の中心軸を中心として回転可能に内装された第２の筒体と、
前記第１の筒体と第２の筒体を囲うように前記第１の筒体と第２の筒体に外装され、また前記第１の筒体の中心軸を中心として前記第１の筒体に対して回転可能に且つ前記第２の筒体に対して回転不能に設けられた第３の筒体と、
前記液体収容器本体から離れた前記第３の筒体の一端側を閉鎖する第２の栓体とを備え、
前記第１の筒体は、該第１の筒体が前記液体収容器本体に固定された状態で前記第１の栓体を収容可能な第１の空間を有し、
前記第２の筒体は、前記第１の空間に位置する第１の栓体と係合し、前記第１の筒体に対して第２の筒体を回転するとその回転方向の回転力を前記第１の栓体に与え、これにより前記脆弱部にせん断力を作用させる回転手段を有することを特徴とする輸液容器。
【請求項２】
前記第１の筒体はまた、前記第２の筒体の回転により前記回転力が与えられた第１の栓体を該第１の栓体の回転と共に前記液体収容器本体から遠ざかる方向に案内し、これにより前記脆弱部に引張力を作用させる案内手段を有することを特徴とする請求項１に記載の輸液容器。
【請求項３】
前記第１の筒体は前記第１の栓体と前記第２の栓体との間に第１の隔壁を有し、
前記第２の筒体は前記第１の隔壁に対向すると共に前記第２の栓体との間に第２の空間を形成する第２の隔壁を有し、
前記第１の隔壁と第２の隔壁は、前記脆弱部に実質的にせん断力と引張力が作用していない状態で第１の空間と第２の空間を遮断し、前記脆弱部に実質的にせん断力と引張力が作用した状態で前記第１の空間と第２の空間を流体的に連通する開口部を備えていることを特徴とする請求項２に記載の輸液容器。
【請求項４】
前記第１の筒体と前記第３の筒体は、前記第３の筒体を前記第１の筒体に装着した状態で、前記第１の筒体の中心軸方向に関する前記第３の筒体の動きを規制する規制部を備えていることを特徴とする請求項１〜３のいずれか一に記載の輸液容器。
【請求項５】
前記液体収容器本体の口部の下端部に径方向外側に向かって拡大された円盤状のフランジを有することを特徴とする請求項１〜４のいずれか一に記載の輸液容器。
【請求項６】
薬剤を収容する薬剤収容器であって、液体を収容した液体収容器と組み合わされ、使用時に流体的に連通させて液体に薬剤を溶解又は混合する輸液容器を構成するもので、
前記液体収容器は、
溶解液を収容する液体収容器本体と、
前記液体収容器本体の口部を閉鎖する第１の栓体と、
前記液体収容器本体と第１の栓体とを一体的に接続する脆弱部とを備えたものにおいて、
前記薬剤収容器は、
前記第１の栓体を囲うように前記液体収容器本体の口部に固定された第１の筒体と、
前記第１の筒体に該第１の筒体の中心軸を中心として回転可能に内装された第２の筒体と、
前記第１の筒体と第２の筒体を囲うように前記第１の筒体と第２の筒体に外装され、また前記第１の筒体の中心軸を中心として前記第１の筒体に対して回転可能に且つ前記第２の筒体に対して回転不能に設けられた第３の筒体と、
前記液体収容器本体から離れた前記第３の筒体の一端側を閉鎖する第２の栓体とを備え、
前記第１の筒体は、該第１の筒体が液体収容器本体に固定された状態で前記第１の栓体を収容可能な第１の空間を有し、
前記第２の筒体は、前記第１の空間に位置する第１の栓体と係合し、前記第１の筒体に対して第２の筒体を回転するとその回転方向の回転力を前記第１の栓体に与え、これにより前記脆弱部にせん断力を作用させる回転手段を有することを特徴とする薬剤収容器。
【発明の詳細な説明】
【０００１】
【発明の属する技術分野】
本発明は、輸液容器に関する。特に、本発明は、液体と薬剤とを分離して保存しておき、使用に際して液体に薬剤を即時に溶解又は混合できるようにした点滴用輸液を調製しうる輸液容器（例えば、輸液バッグ）に関する。また、本発明は、このような輸液容器に使用する薬剤収容器に関する。
【０００２】
【従来の技術】
凍結乾燥薬剤を収容する薬剤収容室と溶解液を収容する溶解液収容室とを有し、使用前は両収容室を流体的に隔離して凍結乾燥薬剤と溶解液との接触を防止し、使用に際してを両収容室を流体的に連通して凍結乾燥薬剤を溶解液に溶解する輸液容器が、特開２００１−１６１７９１号公報で開示されている。この輸液容器は、溶解液収容室の口部に接続されたキャップを、溶解液収容室の口部に固定された筒状容器本体と、容器本体の内部空間（薬剤収容空間）と溶解液の内部空間とを開閉する回転式扉と、溶解液収容室から離れた筒状容器本体端部を閉鎖する回転式第１の栓体とで構成し、これら回転式第１の栓体と回転式扉とを機械的に係合させることで、第１の栓体の回転に基づいて回転式扉を回転し、これにより溶解液収容室と薬剤収容室とを連通するように構成されている。
【０００３】
【発明が解決しようとする課題】
しかしながら、この輸液容器では、回転式の扉を構成する２つの部材がそれぞれ異なる樹脂で成型されており、成型と同時に部分的に接着させるようにしているため、高度の成型技術を必要とする。また、溶解液収容室の溶解液の滅菌にあたっては特別に工夫された装置を用いなければならない。さらには、扉を構成する２つの部材の接着不良は、溶解液収容室と薬剤収容室の連通につながり、使用前に溶解液と薬剤とが接触するおそれがある。
【０００４】
【課題を解決するための手段】
そこで、本発明は、新たな輸液容器および輸液容器を構成する薬剤収容器を提供することを目的としてなされたものである。この輸液容器は、液体を収容した液体収容器と薬剤を収容した薬剤収容器とを備え、これら液体収容器と薬剤収容器とを流体的に連通させて液体に薬剤を溶解又は混合させるもので、概略、液体収容器と薬剤収容器とからなる。液体収容器は、液体を収容する液体収容器本体と、液体収容器本体の口部を閉鎖する第１の栓体と、液体収容器本体と第１の栓体とを一体的に接続する脆弱部とを有する。一方、薬剤収容器は、第１の栓体を囲うように前記液体収容器本体の口部に固定された第１の筒体と、第１の筒体に該第１の筒体の中心軸を中心として回転可能に内装された第２の筒体と、第１の筒体と第２の筒体を囲うように前記第１の筒体と第２の筒体に外装され、また第１の筒体の中心軸を中心として第１の筒体に対して回転可能に且つ前記第２の筒体に対して回転不能に設けられた第３の筒体と、液体収容器本体から離れた第３の筒体の一端側を閉鎖する第２の栓体とを有する。第１の筒体は、該第１の筒体が液体収容器本体に固定された状態で前記第１の栓体を収容可能な第１の空間を有する。また、第２の筒体は、第１の空間に位置する第１の栓体と係合し、第１の筒体に対して第２の筒体を回転するとその回転方向の回転力を第１の栓体に与え、これにより脆弱部にせん断力を作用させる回転手段を有する。好ましくは、第１の筒体は、第２の筒体の回転により回転力が与えられた第１の栓体を該第１の栓体の回転と共に液体収容器本体から遠ざかる方向に案内し、これにより脆弱部に引張力を作用させる案内手段を有する。
【０００５】
この輸液容器の好ましい形態において、第１の筒体は前記第１の栓体と前記第２の栓体との間に第１の隔壁を有し、第２の筒体は第１の隔壁に対向すると共に第２の栓体との間に第２の空間を形成する第２の隔壁を有し、第１の隔壁と第２の隔壁は、脆弱部に実質的にせん断力と引張力が作用していない状態で第１の空間と第２の空間を遮断し、脆弱部に実質的にせん断力と引張力が作用した状態で第１の空間と第２の空間を流体的に連通する開口部を有する。
【０００６】
また、輸液容器の別の好ましい形態において、第１の筒体と第３の筒体は、第３の筒体を第１の筒体に装着した状態で、第１の筒体の中心軸方向に関する第３の筒体の動きを規制する規制部を備えている。
【０００７】
【発明の実施の形態】
以下、添付図面を参照して本発明の好適な実施の形態を説明する。なお、以下の説明において、必要に応じて方向を示す用語（例えば、「上」、「下」、「右」、「左」、及びそれらを含む別の用語「上部」、「下部」）を用いるが、それは発明の理解を容易にするためであって、それらの用語の本来の意味によって本発明の範囲が限定されるものでない。
【０００８】
１．輸液容器の概略構成
図１に示す本発明の輸液容器１は、概略、液体を収容する液体収容器２と、薬剤を収容する薬剤収容器３で構成されている。なお、理解を容易にするために、図１では液体収容器２を下に表示し、この液体収容器２の上に薬剤収容器３を表示しているが、溶解液に薬剤を溶解して得られた輸液を供給する状態では、液体収容器２が上に位置し、薬剤収容器３が下に位置する。また、以下の説明に用いる図面には図１と同一の方向に輸液容器及びその各要素を向けた状態で表示されており、その表示された状態を参照して各要素の位置関係（例えば、上下関係等）説明する。
【０００９】
（１）液体収容器：
液体収容器２は、容器の樹脂成形・液体の無菌充填・密封を連続的に行うブローフィルシール技術によって製造されたもので、図２に示すように、液体４を収容した液体収容器本体５と、該容器本体５の筒状口部６に設けられた栓体７と、これら液体収容器本体５と栓体７との間に形成された薄肉の脆弱部８からなる。この液体収容器２によれば、口部６の中心軸を中心として、液体収容器本体５に対して栓体７を回転する又は捩ることにより（好ましくは液体収容器本体５から離れる方向に栓体７を引っ張りながら回転する又は捩ることにより）、脆弱部８において液体収容器本体５と栓体７が破断して栓体７が液体収容器本体５から分離し、その結果口部６が開放し、液体４の取り出しが可能となる。
【００１０】
液体収容器２の容量は、例えば２０〜３００ｍｌである。液体収容器２内に収容される液体としては、生理食塩水、ブドウ糖液または、システイン、トリプトファンなどを添加したアミノ酸液などが挙げられるが、特にこれらに限定されるものではない。また、液体収容器２の材質は、ポリエチレン、ポリプロピレン、ポリ塩化ビニル、ポリエチレン又はポリプロピレンにエラストマーを加えたもの等の比較的柔らかい合成樹脂が使用でき、成型後の厚みは例えば約０．２〜０．５ｍｍの範囲で設計される。
【００１１】
栓体７に加えた回転力（せん断力）が脆弱部８に効率的に伝達するために、栓体７と容器本体５は共にある程度の厚みを有し、多少の外力が作用した場合でも形状を保持できる程度の強度を有する。栓体７は、口部６の外径よりも大きな外径を有する筒状の突部９を有し、突部９の外側には該突部９の中心軸を含む平面（仮想面）に沿って突部９の外側に突出するフランジ１０が一体的に形成されている。一方、突部９の内側は、蒸発防止剤が充填されているか、その内部空間がプラスチック、ゴム等で埋められている。また、口部６の下端部は径方向外側に向かって拡大されて円盤状のフランジ１２が形成されており、容器本体５の下端（使用状態では上方に位置する）中央には吊り下げ用の孔１３が形成されている。
【００１２】
（２）薬剤収容器：
薬剤収容器３は、図３、図４、特に図５に示すように、第１の筒体１５、第２の筒体１６、ゴム栓１７、第３の筒体１８、及びタンパーフィルム１９を備えており、第１〜第３の筒体１５、１６、１８によってキャップ部が形成されている。特に薬剤が収容される第２の筒体１６の薬剤収容空間４８の容量は前記液体収容器の容量あるいは薬剤の溶解度と関連するが、一般的には、薬剤を液体に混合又は溶解した液の状態で５〜４０ｍｌの容量の範囲で適宜設計される。なお、筒体１５，１６，１８の材質は特に限定的ではないが、ポリエチレン、ポリプロピレン、ポリ塩化ビニル、環状ポリオレフィン系樹脂などの合成樹脂（ＣＯＣ、ＣＯＰ樹脂）又はアルミニウム、ステンレス鋼などの金属で形成することができ、好ましくは成形性の面からポリエチレン、ポリプロピレン又は環状ポリオレフィン系樹脂で構成されるのが有利である。また、それら筒体１５，１６，１８の厚みは、例えば約０．５〜２．５ｍｍの範囲で設計される。さらに薬剤収容器の高さは例えば約１０〜４０ｍｍ、直径は例えば約１０〜４０ｍｍの範囲で設計される。
【００１３】
（ａ）第１の筒体：
図５及び図６（ａ）、（ｂ）に示すように、第１の筒体１５は合成樹脂によって一体的に形成されており、円盤状のフランジ２０を有する。フランジ２０の上面にはその外周端から所定距離をあけた位置から上方に伸びる環状の外側筒部２１が形成されている。この外側筒部２１の外周面中段には外側係合突起２２が周方向に連続的又は不連続的に形成されており、内周面上端には内側係合突起２３が周方向に連続的に又は不連続的に形成されている。外側筒部２１の内方には、該外側筒部２１と所定の間隔をあけて、円盤状フランジ２０の内周端から上方に向かって伸びる環状ガイド部（案内手段）２４が形成されている。
【００１４】
この環状ガイド部２４は、図６（ｃ）に示すように、２つの半円筒ガイド２５で構成されている。各半円筒ガイド２５において、フランジ２０の中心軸２６を中心とする円の周方向についてその一端２７から他端２８に向かって約９０度の範囲２９の上端部は、フランジ２０からの距離（高さ）が次第に大きくなる傾斜ガイド面３０を有する。また、一方の半円筒ガイド２５の一端２７とこれに対向する他方の半円筒ガイド２５の他端２８との間にはガイド溝３１が形成されており、その幅（周方向の距離）３２は液体収容器２のフランジ１０の厚みよりも僅かに大きくしてある。また、一方のガイド溝３１の底部からこれに対向する他方のガイド溝３１の底部までの距離（円盤状フランジ２０の内径に相当する。）は、液体収容器２のフランジ１０の左右方向の幅３３（図５参照）よりも僅かに大きくしてある。さらに、図３に示すように液体収容器２と薬剤収容器３とを組み合わせた状態で、ガイド溝３１に隣接する傾斜ガイド面３０の始端部が液体収容器２のフランジ１０の外側下端よりも僅かに下に位置し、傾斜ガイド面３０の終端部が該フランジ１０の外側下端よりも遥かに上に位置するように、傾斜ガイド面３０の高さが設計されている。
【００１５】
図５及び図６（ｃ）に示すように、半円筒ガイド２５の内側には、傾斜ガイド面３０が形成されている領域２９以外の領域（即ち、傾斜ガイド面３０の終端位置から半円筒ガイド２５の他端２８までの領域に相当する。）に、上方に伸びる円筒面状の脚部３４が中心軸２６に対称に２つ設けてある。各脚部３４の上端部の位置は、外側筒部２１の高さとほぼ等しくしてある。また、２つの脚部３４の上端には、半円筒ガイド２５の内縁によって描かれる円とほぼ同一の外径を有する円盤状天板３５によって連結されている。円盤状天板３５には、中心軸２６に対して対称に、２つの開口３６が形成されている。本実施の形態において、開口３６は、約９０度の開き角を有する扇形としてあるが、この形状に限定されるものでない。
【００１６】
（ｂ）第２の筒体
図５及び図７に示すように、第２の筒体１６は第１の筒体１５と同様に合成樹脂により一体的に形成されており、円筒状の下部筒４０と、該下部筒４０の中心軸４１と同軸的に配置された円筒状の上部筒４２とからなる。下部筒４０の寸法は、その外径が第１の筒体１５における外側筒部２１の内径よりも僅かに小さく、その内径が第１の筒体１５における天板３５の外径よりも僅かに大きく、その高さが第１の筒体１５における外側筒部２１の中心軸方向長さよりも短く設計され、図３に示すように、第１の筒体１５の外側筒部２１と環状ガイド部２４との間に装入できる大きさとしてある。下部筒４０の外周面には、その外側上端部近傍に第１の筒体１５の外側筒部２１の内側係合突起２３と係合可能な環状の係合溝部４３（図７参照）が形成され、該係合溝部４３の下方に環状のＯリング収容溝４４が形成されている。一方、下部筒４０の内周面には、中心軸４１を挟んで対向するように、上下方向に伸びる２組の係合部４５が形成されており、図３に示すように第１の筒体１５と組み合わせて液体収容器２に装着した状態で該第２の筒体１６を第１の筒体１５に対して相対的に回転すると、第１の筒体１５の内側に装入された栓体７のフランジ１０と係合部４５が係合するようにしてある。
【００１７】
上部筒４２は、その外径が第１の筒体１５の外径とほぼ等しく設計されており、上端部には径方向外側に突出する係合部又は環状突起４６を有し、該環状突起４６の下には周方向に一定の間隔をあけて複数の係合部又はリブ４７が形成されている。上部筒４２の内部空間４８と下部筒４０の内部空間４９は、両者の間に形成された隔壁５０によって上下２室に区画されていると共に、該隔壁５０に形成された２つの開口５１を介して連通されている。これら開口５１は中心軸４１を挟んで対称に配置されており、図３に示すように第１の筒体１５に第２の筒体１６を組み付けた状態で該第２の筒体１６を第１の筒体１５に対して回転することで、第１の筒体１５の開口３６と第２の筒体１６の開口５１とが対向して相互に連通して第１の筒体１５と第２の筒体１６の内部空間を互いに流体的に連通する位置（開放位置）と、第１の筒体１５の開口３６と第２の筒体１６の開口５１とが対向せずに第１の筒体１５と第２の筒体１６の内部空間を流体的に隔離する位置（閉鎖位置）を取り得るようにしてある。
【００１８】
（ｃ）ゴム栓
図５に示すように、ゴム栓１７は、注射針が貫通可能な柔らかさのゴムで一体的に形成されており、第２の筒体１６における上部筒４２の上端外径とほぼ同一の外径を有する円盤状本体６０と、該円盤状本体６０の下面に設けられ、上部筒４２の内径とほぼ同一又は僅かに大きな外径を有する嵌合部６１とを有し、図３に示すように第２の筒体１６の上部筒４２の上端部に嵌合部６１を緊密に嵌合して固定できるようにしてある。
【００１９】
（ｄ）第３の筒体
図５及び図８に示すように、第３の筒体１８は、合成樹脂により一体的に形成されており、第１の筒体１５及び第２の筒体１６の外径よりも若干大きな内径の本体筒部７０と、該本体筒部７０の上端から径方向内側に向かって突出した内側フランジ７１とを有する。本体筒部７０の内面には、内側フランジ７１から所定距離離れた位置に周方向に所定の間隔をあけて断続的に上部係合突起７２が形成され、下端部近傍に下部係合突起７３が形成されている。これら上部係合突起７２と下部係合突起７３の位置（高さ）は、図３に示すように第１の筒体１５、第２の筒体１６及びゴム栓１７を組み合わせたアセンブリに対して該アセンブリの上方から第３の筒体１８を外装したとき、内側フランジ７１がゴム栓１７を上から押さえた状態で上部係合突起７２が第２の筒体１６の環状突起４６の下に係合し、第１の筒体１５に対する第２の筒体１６の中心軸方向の動きを規制した状態で下部係合突起７３が第１の筒体１５の外側係合突起２２と係合するようにしてある。また、第３の筒体１８において、複数の上部係合突起７２の間隔と、隣接する上部係合突起７２の間の隙間の周方向幅は、第２の筒体１６に設けた複数のリブ４７に対応しており、第３の筒体１８を上述のアセンブリに外装した状態で各リブ４７が隣接する上部係合突起７２の間に嵌り込み、第３の筒体１８に加えた回転力が上部係合突起７２からリブ４７を介して第２の筒体１６に伝達するようにしてある。
【００２０】
（ｅ）タンパーフィルム
タンパーフィルム１９は合成樹脂のフィルムからなる。
【００２１】
（３）薬剤収容器の組立
このように複数の部材で構成された薬剤収容器３は、次のようにして組み立てられる。まず、第２の筒体１６の下部筒４０のＯリング収容溝４４にゴムのＯリング５２（図７（ｂ）参照）が装着される。次に、第２の筒体１６の下部筒４０を、第１の筒体１５における外側筒部２１と脚部３４との間に装入し、図３に示すように、第２の筒体１６の下部筒４０に形成されている外側係合溝部４３〔図７（ｂ）〕に第１の筒体１５の内側係合突起２３を係合する。この状態で、第１の筒体１５の外側筒部２１と第２の筒体１６の下部筒４０との間が、Ｏリング５２によって封止される。なお、Ｏリング５２の位置を安定させるために、図３に示すように、第１の筒体１５の外側筒部２１の内面に環状溝部８０を形成してもよい。
【００２２】
第１の筒体１５と第２の筒体１６を組み合わせた状態で、第１の筒体１５の開口３６と第２の筒体１６の開口５１は非連通の状態に保たれる。これにより、第２の筒体１６の上部筒４２の内側に形成されている空間（薬剤収容空間）４８は、第１の筒体１５の内側に形成されている空間３７から遮断される。空間４８，３７の間の封止を確実にするために、第１の筒体１５の円盤状天板３５と第２の筒体１６の隔壁５０との間にアルミニウム箔を介在し、これを高周波加熱することにより両者をシールしてもよい。
【００２３】
薬剤収容空間４８には、所定の薬剤（図示せず）が所定量充填される。薬剤充填後、上部筒４２の薬剤収容空間４８は、この上部筒４２の上部開口部にゴム栓１７を嵌合して封鎖される。次に、第１の筒体１５、第２の筒体１６及びゴム栓１７を組み合わせたアセンブリに第３の筒体１８を外装し、第３の筒体１８の各内側上部係合突起７２を第２の筒体１６におけるリブ４７とこれに隣接するリブ４７との間に位置させた状態で、各内側上部係合突起７２を第２の筒体１６の環状突起４６に係合する。また、第３の筒体１８の内側下部係合突起７３を第１の筒体１５の外側係合突起２２に係合する。これにより、第１の筒体１５・第２の筒体１６・ゴム栓１７・第３の筒体１８の各要素が他の要素に対して中心軸方向に固定される。最後に、第３の筒体１８の上端開口部７４をタンパーフィルム１９で完全に覆い、第３の筒体１８の内側フランジ７１で囲まれた開口部７４から露出したゴム栓１７を保護すると共に、タンパープルーフを保証する。
【００２４】
薬剤収容空間４８に充填される薬剤は、粉末又は液体のいずれであってもよい。薬剤としては、例えば、凍結乾燥薬剤が利用され、具体的には、抗生剤、抗腫瘍剤、抗潰瘍剤、などが利用される。さらに、具体的には、抗生剤としては、セファゾリンナトリウム、セフチゾキシムナトリウム、塩酸セフォチアム、塩酸セフメノキシム、セファセトリルナトリウム、セファマンドールナトリウム、セファロリジン、セファタキシムナトリウム、セフォテタンナトリウム、セフォペラゾンナトリウム、セフスロジンナトリウム、セフテゾールナトリウム、セフピラミドナトリウム、セフメタゾールナトリウム、セフロキシナトリウム、硫酸セフォクレス、フロモキセフナトリウム、塩酸セフカペンピボキシルなどのセフェム系抗生物質、ドリペネムなどのカルバペネム系抗生物質、またアンピシリンナトリウム、カルベニシリンナトリウム、スルベニシリンナトリウム、チカルシリンナトリウムなどのペニシリン系抗生物質、さらには塩酸バンコマイシンなどがある。抗腫瘍剤としては、マイトマイシンＣ、フルオロウラシル、テガフール、シタラビンなどがある。抗潰瘍剤としては、ファモチジン、塩酸ラニチジン、シメチジンなどがある。
【００２５】
（４）液体収容器と薬剤収容器との組立
以上のようにして組み立てられた薬剤収容器３は、液体収容器２における液体収容器本体５の口部６に装着される。このとき、栓体７のフランジ１０は第１の筒体１５における環状ガイド部２４の内側に形成された空間３７に位置する。フランジ１０を空間３７に装入する際、フランジ１０、特に左右の端部は、２つの半円筒ガイド２５の間に形成されたガイド溝３１〔図６（ｃ）〕を通る。そして、装着された状態で、フランジ１０の左右の端部は、ガイド溝３１の上方であって、傾斜ガイド面３０の始端部２７よりも僅かに高い位置にある。薬剤収容器３の装着後、この薬剤収容器３における第１の筒体１５のフランジ２０とこれに接する液体収容器２のフランジ１２が加熱接着されて封止される。代わりに、液体収容器２のフランジ１２を予め加熱した後、薬剤収容器３を装着してそのフランジ２０をフランジ１２に加圧接着してもよい。
【００２６】
（５）使用方法
液体収容器２と薬剤収容器３とが一体化された輸液容器１を使用する場合、液体収容器２を保持した状態で第３の筒体１８を握ってこれを時計周り方向（薬剤収容器の上方から見て時計周り方向）に回転する。その結果、第３の筒体１８の上部係合突起７２と第２の筒体１６のリブ４７とが係合して第３の筒体１８の回転が第２の筒体１６に伝達され、第２の筒体１６が第１の筒体１５に対して回転する。このとき、第２の筒体１６の下部筒内面に形成されている係合部４５が、環状ガイド部２４の上方で栓体フランジ１０の左右端部に係合し、該栓体７に時計回り方向の回転を与える。時計周り方向に回転する栓体７は、フランジ１０の左右下端部が傾斜ガイド面３０にガイドされるので、その傾斜に沿って上昇し、次第に容器本体５から離れる。したがって、液体収容器２では、液体収容器本体５と栓体７とを連結している脆弱部８に、栓体７を液体収容器本体５に対して回転する回転力（せん断力）と、栓体７を液体収容器本体５から遠ざける引張力が同時に作用し、その結果脆弱部８が破断して栓体７が液体収容器本体５から分離され、口部６が開放される（図４参照）。
【００２７】
第２の筒体１６の回転は、フランジ１０が第１の筒体１５の脚部３４に接触した時点で規制される。このとき、第１の筒体１５の円盤状天板３５に形成されている開口３６と第２の筒体１６の隔壁５０に形成されている開口５１が相互に向かい合い、第２の筒体１６の薬剤収容空間４８と第１の筒体１５の内部空間３７とが流体的に連通する。したがって、図１に示す輸液容器１を逆さまにすると、液体収容器２の液体４が第１の筒体１５の内部空間３７から開口３６，５１を介して第２の筒体１６の薬剤収容空間４８に流れ込み、この薬剤収容空間４８に収容されている薬剤を溶解または混合する。このような輸液容器１の倒立・正立操作を数回反復実施して薬剤を液体に完全に溶解または混合した後、タンパーフィルム１９を剥ぎ取り、ゴム栓１７に点滴用注射針（図示せず）を穿刺して、この注射針を介して薬液（すなわち、輸液）を点滴投与する。
【００２８】
このように、本発明の輸液容器１によれば、点滴終了まで、薬液が外気に一切触れることがなく、容器内の無菌性が保証されている。また、ゴム栓以外の容器素材は日局輸液用プラスチック容器試験に記載されているポリエチレン及びポリプロピレン等のプラスチックのみで構成された容器であるため、点滴終了時のガラス、金属の分別廃棄操作も不要である。さらに、液体収容器２と薬剤収容器３を別々に滅菌し、滅菌後に液体収容器２と薬剤収容器３を組み合わせることができるので、滅菌工程が簡単になると共に、防腐剤も不要である。
【００２９】
（６）変形例
これまで説明した輸液容器は本発明の一実施形態であって、各部の形状や寸法は、同一の機能を発揮することを条件として、種々改変可能である。例えば、上述の実施形態では第１の筒体１５に傾斜ガイド面３０を形成し、第３の筒体１８を回転することで脆弱部８にせん断力と共に引張力が作用するようにしたが、せん断力だけで脆弱部８が十分に破断できる場合、第１の筒体１５から傾斜ガイド面を取り除き、第３の筒体１８を回転したときに脆弱部８にせん断力だけが作用するようにしてもよい。
【００３０】
また、上述の実施形態では液体収容器２と薬剤収容器３を溶着して一体的に接続したが、例えば液体収容器２のフランジ１２に雄ねじ（又は雌ねじ）を形成し、薬剤収容器３のフランジ２０に雌ねじ（又は雄ねじ）を形成し、両者を螺合することで連結してもよい。この場合、雄ねじと雌ねじの対向部分を接着剤で封止してもよい。
【００３１】
さらに、液体収容器２の脆弱部８に回転力と引張力を同時に作用させるために、第１の筒体１５に傾斜ガイド面３０を形成すると共に第２の筒体１６にフランジ係合部４５を形成し、第２の筒体１６で回転力を与えながら傾斜ガイド面３０上に沿ってフランジ１０を移動させる構成を採用したが、脆弱部８に回転力と引張力を同時に加える構成は上述の実施の形態に限るものでない。
【００３２】
【発明の効果】
以上の説明から明らかなように、本発明に係る輸液容器によれば、使用前の状態で液体と薬剤は完全に分離されており、薬剤の品質が良好に維持される。また、使用に際して極めて簡単な操作で薬剤を液体に混合又は溶解することができ、点滴用輸液を迅速に調製することができる。
【図面の簡単な説明】
【図１】本発明に係る輸液容器の正面図。
【図２】図１に示す輸液容器の液体収容器の口部を上方から見た図（ａ）と、液体収容器の一部を切除した正面図（ｂ）。
【図３】液体収容器に薬剤収容器を装着した状態の断面図。
【図４】液体収容器に薬剤収容器を装着した状態の断面図で、液体収容器の栓体が分離された状態を示す。
【図５】薬剤収容器の一部断面分解斜視図。
【図６】第１の筒体の平面図（ａ）、ＶＩ−ＶＩ線に沿った縦断面図（ｂ）、および環状ガイドの斜視図（ｃ）。
【図７】第２の筒体の平面図（ａ）、ＶＩＩ−ＶＩＩ線に沿った縦断面図（ｂ）。
【図８】第３の筒体のＶＩＩＩａ−ＶＩＩＩａ線に沿った横断面図（ａ）、ＶＩＩＩｂ−ＶＩＩＩｂ線に沿った縦断面図（ｂ）。
【図９】第１の筒体の内部空間に位置する栓体を破断する状態を示す斜視図。
【符号の説明】
１：輸液容器
２：液体収容器
３：薬剤収容器
４：液体
５：液体収容器本体
６：口部
７：栓体
８：脆弱部
９：突部
１０：フランジ
１５：第１の筒体
１６：第２の筒体
１７：ゴム栓
１８：第３の筒体
１９：タンパーフィルム
【図１】
2004041378.tif 000003
【図２】
2004041378.tif 000004
【図３】
2004041378.tif 000005
【図４】
2004041378.tif 000006
【図５】
2004041378.tif 000007
【図６】
2004041378.tif 000008
【図７】
2004041378.tif 000009
【図８】
2004041378.tif 000010
【図９】
2004041378.tif 000011